(57)【要約】【課題】複数の収容室を備える医療用複室容器が、未連通のまま使用されるのを有効に防止することができる医療用複室容器を提供することを目的とする。【解決手段】複数の収容室１１、１２を有する容器本体１０と、収容室１１、１２を仕切ると共に外部からの圧力により剥離し得る弱シール部１３と、複数の収容室１１、１２にそれぞれ収容された薬液等１１ａ、１２ａと、収容室１１の一端に配設された注排口１４と、容器本体１０を懸垂する２つの懸垂孔１５とを備え、懸垂孔１５に隣接する第１の収容室１２は、他の収容室１１の容積に対する他の収容室１１に占める薬液等１１ａの容積の割合よりも大きな割合で、薬液等１２ａを収容しており、２つの懸垂孔１５は、複数の収容室１１、１２が未連通の状態において、第１の収容室１２に収容された薬液等１２ａのために互いに重ねることができない位置に離間された医療用複室容器。【選択図】図１
2009195470.tif 000002
【特許請求の範囲】
【請求項１】
複数の収容室を有する容器本体と、前記収容室を仕切ると共に外部からの圧力により剥離し得る弱シール部と、前記複数の収容室にそれぞれ収容された薬液、薬剤及び／又は気体と、一つの収容室の一端に配設された注排口と、容器本体を懸垂するための２つの懸垂孔とを備える医療用複室容器であって、
前記懸垂孔に隣接する第１の収容室は、その容積に対する第１の収容室に占める薬液、薬剤及び／又は気体の容積の割合が７０〜１００％で、薬液、薬剤及び／又は気体を収容しており、
前記２つの懸垂孔は、前記複数の収容室が未連通の状態において、第１の収容室に収容された薬液、薬剤及び／又は気体のために互いに重ねることができない位置に離間されていることを特徴とする医療用複室容器。
【請求項２】
前記２つの懸垂孔は、複数の収容室が連通の状態において、互いに重ねて容器本体を懸垂することにより、前記注排口が鉛直方向に向く位置に配置されてなる請求項１に記載の容器。
【請求項３】
前記容器本体は、平面形状が四角形状又は略四角形状であり、前記２つの懸垂孔は、前記容器本体において注排口に対する他端側であって、かつその両端に配置されてなる請求項１又は２に記載の容器。
【請求項４】
さらに、前記懸垂孔に装着される懸垂冶具を備える請求項１〜３のいずれか１つに記載の容器。
【請求項５】
前記第１の収容室における該第１の収容室に占める薬液、薬剤及び／又は気体の容積の割合が、２つの懸垂孔を重ねることによって、前記弱シールを剥離させる圧力を前記第１の収容室に負荷し得る大きさである請求項１〜４のいずれか１つに記載の容器。
【請求項６】
複数の収容室を有する容器本体と、前記収容室を仕切ると共に外部からの圧力により剥離し得る弱シール部と、前記複数の収容室にそれぞれ収容された薬液、薬剤及び／又は気体と、一つの収容室の一端に配設された注排口と、容器本体を懸垂するための懸垂手段とを備える医療用複室容器であって、
前記懸垂孔に隣接する第１の収容室は、その容積に対する第１の収容室に占める薬液、薬剤及び／又は気体の容積の割合が７０〜１００％で、薬液、薬剤及び／又は気体を収容しており、
前記懸垂手段は、ひも状部材で構成され、該ひも状部材は、少なくとも一部が前記容器本体に固定され、他の一部が、前記複室容器の懸垂状態において、自重によって第１の収容室に前記弱シールを剥離させる圧力を負荷しながら懸垂孔を与えることを特徴とする医療用複室容器。
【請求項７】
前記懸垂孔は、前記医療用複室容器の懸垂状態において、前記注排口が鉛直方向に向く位置に配置されてなる請求項６に記載の容器。
【発明の詳細な説明】
【技術分野】
【０００１】
本発明は、医療用複室容器に関し、より詳細には、薬液等の成分を別個に収容し、必要時に混合して使用することのできる医療用複室容器に関する。
【背景技術】
【０００２】
従来から、複数の成分を混合した状態で保管しておくと、変質などによって薬効等が劣化する薬剤を使用直前に無菌混合するために、複数の成分を別個に保存することができる容器が用いられている。
このような容器は、容易に剥離可能な弱シールによって区画された複数の収容室内に複数の内容物を別々に保存しておき、使用の直前に容器を手で圧縮するなどして弱シールを剥離させ、複数の室を連通させて内容物を無菌状態で混合又は溶解させるものである。
また、複数の収容室を備える通常の複室容器は、容器の一方の端部に排出口を設け、反対側の端部に懸垂孔を設けており、ガートル台等の支持台に吊り下げて使用する構成とされている。
【０００３】
薬剤の複数の成分を別個に収容する医療用複室容器では、通常、液体の収容室に排出口が設けられている。例えば、凍結乾燥製剤等の粉末薬剤は水分を嫌うものが多いため、粉末薬剤の収容室に排出口を設けると、排出口を通して水分が内部に浸入するおそれが生じたり、排出口内部に粉末薬剤が付着したりした場合、溶け残りを生じるおそれもあるからである。また、薬液収容室に排出口を設けることにより、製造時に排出口から薬液の充填が容易にできるという利点もある。
【０００４】
しかし、薬液収容室の端部に注排口を設け、反対側の端部に懸垂孔を設けた従来の医療用複室容器では、医療現場において、使用者が複数の収容室の連通を失念することがあり、注排口に刺入する薬剤排出用針を介して一つの収容室内の薬液のみが患者に投与されるという問題が生じる。
そこで、複数の成分が別個の収容室に収容する医療用複室容器においては、使用直前の各収容室の連通を喚起するために、懸垂孔を覆う喚起用の表示部材を貼り付けたり（例えば、特許文献１等）、弱シールが剥離していない状態では懸垂孔をガートル台に引掛けられない構造としたりする（例えば、特許文献２、３等）等の種々の工夫がなされている。
【０００５】
【特許文献１】特開２００５−２４５９８３号公報
【特許文献１】特開２００５−２１８６６１号公報
【特許文献１】特開２００７−１７５４４２号公報
【発明の開示】
【発明が解決しようとする課題】
【０００６】
しかし、これらの工夫を行っても、医療現場において、使用者による複数の収容室の連通の失念を完全に防止するに至っていない。
本発明は上記課題に鑑みなされたものであり、複数の収容室を備える医療用複室容器が、未連通のまま使用されるのを有効に防止することができる医療用複室容器を提供することを目的とする。
【課題を解決するための手段】
【０００７】
本発明の医療用複室容器は、  複数の収容室を有する容器本体と、前記収容室を仕切ると共に外部からの圧力により剥離し得る弱シール部と、前記複数の収容室にそれぞれ収容された薬液、薬剤及び／又は気体と、一つの収容室の一端に配設された注排口と、容器本体を懸垂するための２つの懸垂孔とを備える医療用複室容器であって、
前記懸垂孔に隣接する第１の収容室は、その容積に対する第１の収容室に占める薬液、薬剤及び／又は気体の容積の割合が７０〜１００％で、薬液、薬剤及び／又は気体を収容しており、
前記２つの懸垂孔は、前記複数の収容室が未連通の状態において、第１の収容室に収容された薬液、薬剤及び／又は気体のために互いに重ねることができない位置に離間されていることを特徴とする。
【０００８】
この医療用複室容器では、前記２つの懸垂孔は、複数の収容室が連通の状態において、互いに重ねて容器本体を懸垂することにより、前記注排口が鉛直方向に向く位置に配置されていることが好ましい。
また、前記容器本体は、平面形状が四角形状又は略四角形状であり、前記２つの懸垂孔は、前記容器本体において注排口に対する他端側であって、かつその両端に配置されていることが好ましい。
さらに、前記懸垂孔に装着される懸垂冶具を備えていてもよい。
また、前記第１の収容室における該第１の収容室に占める薬液、薬剤及び／又は気体の容積の割合が、２つの懸垂孔を重ねることによって、前記弱シールを剥離させる圧力を前記第１の収容室に負荷し得る大きさであることが好ましい。
【０００９】
また、本発明の別の医療用複室容器は、複数の収容室を有する容器本体と、前記収容室を仕切ると共に外部からの圧力により剥離し得る弱シール部と、前記複数の収容室にそれぞれ収容された薬液、薬剤及び／又は気体と、一つの収容室の一端に配設された注排口と、容器本体を懸垂するための懸垂手段とを備える医療用複室容器であって、
前記懸垂孔に隣接する第１の収容室は、その容積に対する第１の収容室に占める薬液、薬剤及び／又は気体１２ａの容積の割合が７０〜１００％で、薬液、薬剤及び／又は気体を収容しており、
前記懸垂手段は、ひも状部材で構成され、該ひも状部材は、少なくとも一部が前記容器本体に固定され、他の一部が、前記複室容器の懸垂状態において、自重によって第１の収容室に前記弱シールを剥離させる圧力を負荷しながら懸垂孔を与えることを特徴とする。
【００１０】
この医療用複室容器では、前記懸垂孔は、前記医療用複室容器の懸垂状態において、前記注排口が鉛直方向に向く位置に配置されていることが好ましい。
【発明の効果】
【００１１】
本発明の医療用複室容器によれば、懸垂孔近傍に位置する収容室内の液体及び／又は気体の容積を調整することによって、複数の収容室が未連通のままであると、懸垂自体を実施できないように、懸垂孔の数及び位置を調整することで、医療現場においても、１つの収容室の薬液のみの投与等のおそれを回避して、複室の薬液等を確実に混合した後でないと、注排口からの薬液等の投与ができなくし、安全かつ便利に使用することが可能な医療用複室容器を提供することができる。
【発明を実施するための最良の形態】
【００１２】
実施の形態１
この実施形態の医療用複室容器１は、典型的には、図１に示すように、容器本体１０と、容器本体１０に設けられた複数の収容室１１、１２と、これら収容室１１、１２内に収容された薬液、薬剤及び／又は気体（以下、単に「薬液等」と記することがある）１１ａ、１２ａと、これら収容室１１、１２を区切っている仕切部となる弱シール部１３と、一方の収容室１１の一端に配設された注排口１４と、容器本体１０を懸垂するための２つの懸垂孔１５とを備えて構成される。
【００１３】
容器本体１０は、通常、熱可塑性樹脂フィルムによって袋状に形成されている。容器本体の形状は、特に限定されるものではなく、多角形、円形及び楕円形等であってもよいが、通常、四角形状又は略四角形状（角が丸みを帯びたもの、一部に切欠き、突出部があるもの等も含む）に形成されている。
【００１４】
熱可塑性樹脂フィルムとしては、特に限定されるものではなく、当該分野で用いることができるもの、例えば、ポリエチレン、ポリプロピレン、ポリエチレンテレフタレート、ポリエチレンテレナフタレート、ポリビニルアルコール、エチレンビニルアルコール共重合体、ポリ塩化ビニリデン、ナイロンなどの熱可塑性樹脂及びこれらの混合物から生成されるフィルムが挙げられる。また、これらの材料は単層又は積層体など医療用容器として使用される形態であればよい。一般的には、ポリエチレン、ポリプロピレン、ポリエチレン及びポリプロピレンの混合物が好適に使用される。
【００１５】
この容器本体１０には、袋状フィルムの上下の内面同士を接着させることによって、弱シール部１３が形成され、これによって、複数の収容室に区画されている。
このような弱シール部１３は、袋状フィルムに、シール可能な別のフィルムシートを介して互いに接着させてもよい。
接着は、接着剤を用いてもよいが、通常、熱シールによって実現されることが好ましい。熱シールの方法は、特に限定されず、用いたフィルムの種類等によって、適宜選択することができ、実施条件を最適化することができる。
【００１６】
弱シール部の接着強度は、容器本体の外周部を接着した部分よりも接着強度が低く設定されており、後述する収容室に収容された薬液等を、外から圧迫して内圧を高めることによって、剥離し、収容室が連通し得る程度の強度であることが好ましい。これによって、わずかな圧力で圧迫するのみで容易に弱シール部を剥離することが可能となる。また、後述するように、２つの懸垂孔を重ねあわせるという簡便な操作によって、容易に弱シール部を剥離することができる。なお、弱シール部は、外側から引っ張ることによっても、剥離させることができる。
【００１７】
具体的な弱シール部の接着強度は、ポリエチレン及び／又はポリプロピレンからなる厚さ２６０μｍ程度の袋体の場合、バッグシール装置（テクノウイン社製）を用いて、０．５ＭＰａの圧力をかけて、１４９±２℃にて３秒間程度熱シールすることによって得られる程度のものが挙げられる。また、別の観点から、Ｔ字剥離のような引張試験を行った際の引張強度が、２Ｎ〜６Ｎ程度が挙げられる。さらに別の観点から、バッグを折り曲げた状態でΦ３００ｍｍの円盤型の金属板の間に挟み、一定速度（圧縮速度：２０ｍｍ／ｍｉｎ）で圧縮したときの耐圧強度が１０００Ｎ程度が挙げられる。
【００１８】
複数の収容室には、それぞれ少なくとも、液体、固体及び気体、つまり、薬液、薬剤及び気体のいずれか１つが収容されている。なお、薬液又は薬剤の収容室には、必ずしも気体が収容されず、脱気されて収容されたものであってもよい。また、薬液とは、必ずしも薬物が溶解した液体のみならず、純水、脱イオン水、生理食塩水、特定の塩が溶解した水溶液等、この医療用複室容器内の薬剤等との混合によって薬液となり得るものであればよく、薬理効果が得られるものでなくてもよい。
各収容室の大きさは特に限定されず、収容する液体、固体及び気体の種類及び量によって適宜調整することができる。形状は、容器本体と同様に、特に限定されない。
【００１９】
例えば、図１の容器では、後述する懸垂孔１５に隣接する第１の収容室１２は、他の１つの収容室１１の容積に対する他の１つの収容室１１に占める薬液等１１ａの容積の割合よりも大きな割合で、薬液等１２ａを収容している。ここで、各収容室の容積は、平面形状の容器における袋状フィルムの上下２枚の合計面積によって調整することができ、つまり、このフィルム２枚の合計面積（例えば、複室容器に充填する薬液＋薬剤が総量１０００〜３０００ｍｌ程度である場合には、容器本体の大きさは、縦４０〜５０ｃｍ、横２２〜３０ｃｍである）を表面積とする空間の容積とすることができる。また、この収容室の容積に対する収容室に占める薬液等の容積は、薬液＋薬剤＋気体の各容積の合計とすることができる。気体の容積を含めたのは、薬液又は薬剤が収容室の容積に対して相当小さい場合であっても、気体を相当量充填することにより、後述するように、第１の収容室１２の外層同士が接触するように第１の収容室を折り曲げることができないこととすることができるためである。
【００２０】
他の１つの収容室１１の容積に対する他の１つの収容室１１に占める薬液等１１ａの容積の割合は、外部からの衝撃を吸収しうるように通常６０〜９９．５％、より好ましくは８０〜９９％であり、より好ましくは８０〜９６％であり、９２．５％や９５％の割合をとることもできる。例えば、他の１つの収容室１１の収容積が７００ｍＬである場合薬液は４５０〜６５０ｍＬ、他の１つの収容室１１の収容積が１４００ｍＬである場合薬液は９００〜１３００ｍＬ、他の１つの収容室１１の収容積が２１００ｍＬである場合薬液は１３００〜１９００ｍＬ収容される。
【００２１】
第１の収容室１２の容積に対する第１の収容室１２に占める薬液等１２ａの容積の割合は、７０〜１００％、より好ましくは８０〜９９．５％であり、９０〜９８％の割合をとることもできる。例えば、第１の収容室１２の収容積が７００ｍＬである場合薬液は５００〜６８０ｍＬ、第１の収容室１２の収容積が１４００ｍＬである場合薬液は１０００〜１３６０ｍＬ、第１の収容室１２の収容積が２１００ｍＬである場合薬液は１５００〜２０５０ｍＬ収容される。
言い換えると、第１の収容室１２は、これら複数の収容室が未連通の状態では、第１の収容室１２に収容された薬液等の合計容積に起因して、第１の収容室１２の外層同士が接触する、つまり第１の収容室を折り曲げることができない程度の容量で、薬液等が収容されている。
【００２２】
また、前記懸垂孔に隣接する第１の収容室は、他の１つの収容室の容積に対する該他の１つの収容室に占める薬液、薬剤及び／又は気体の容積の割合よりも同等または大きな割合で、薬液、薬剤及び／又は気体を収容することが好適である。すなわち、容積割合は、他の１つの収容室１１の容積に対する他の１つの収容室１１に占める薬液１１ａ等の容積の割合を１００％とした場合に、第１の収容室におけるこの割合が同等の場合もあるが、１１０％程度以上、１２０％程度以上、１３０％程度以上、１４０％程度以上、１５０％程度以上、１６０％程度以上であることが好ましい。言い換えると、第１の収容室１２は、これら複数の収容室が未連通の状態では、第１の収容室１２に収容された薬液等の合計容積に起因して、第１の収容室１２の外層同士が接触する、つまり第１の収容室を折り曲げることができない程度に、薬液等が収容されている。例えば、全薬液＋薬剤＋気体の溶液が総容量１０００〜３０００ｍＬ程度の２室容器では、第１の収容室の容積に対する薬液等の容積割合は、７０〜１００％、第２の収容室の容積に対する薬液等の容積割合は、６０〜９９．５％が挙げられる。ただし、この割合は、容器本体の大きさ及び形状、第１の収容室の大きさ及び形状に依存することがあり、これらによって、適宜調整することができる。
【００２３】
第１の収容室１２でのこの割合が、他の収容室１１の割合と比べ１〜２倍、より好ましくは１〜１．５倍の比率をとる。そして、弱シール部１３が剥離され、薬液等１１ａと薬液等１２ａが混合されたときには、バッグ内の薬液等の量とバッグ容器の容積との割合が通常に用いられるときの割合である７０〜９９％となる。それによって、医療現場でフック等に掛けて通常使用するのと何ら変わりなく使用できる。
【００２４】
例えば、弱シールを剥離して薬液を混合後２０２０ｍＬとなる輸液製品においては、他の収容室１１の容積が１４３２ｍＬの中にその薬液等１１ａを１０１０〜１０９１ｍＬ入れ、第１の収容室１２の容積が１３１６ｍＬの中にその薬液等１２ａを１０３０〜１１１３ｍＬ入れる。そして、弱シール剥離後の収容室の容積が４７１５ｍＬとなり、薬液等は２０４０〜２２０４ｍＬとなる。
ここで、弱シール剥離後の収容室の容積が約４７１５ｍＬとなり１０００ｍＬ程度容積が増加するのは、弱シールの制限が無くなり収容室１１と収容室１２が一体となることで収容室の奥行きが大きくなるためである。
【００２５】
また例えば、弱シールを剥離して薬液を混合後１０１０ｍＬとなる輸液製品においては、他の収容室１１の容積が約７５７ｍＬの中にその薬液等１１ａを５１０〜５４６ｍＬ入れ、第１の収容室１２の容積が約７５３ｍＬの中にその薬液等１２ａを５２０〜５５７ｍＬ入れる。そして、弱シール剥離後の収容室の容積が約２９１１ｍＬとなり、薬液等は１０３０〜１１０３ｍＬとなる。
【００２６】
以上の関係は、収容室１１、第１の収容室１２に代わってそれぞれ収容室４１、第１の収容室４２にも当てはまり、薬液、薬剤及び／又は気体１１ａや１２ａに代わってそれぞれ薬液、薬剤及び／又は気体４１ａや４２ａにも当てはまる。
ただし、これらの割合や容積は、容器本体の大きさ及び形状、第１の収容室の大きさ及び形状に依存することがあり、これらによって、適宜調整することができる。
【００２７】
このような容積割合に設定することにより、容器本体、特に、第１の収容室を外から圧迫することにより、内圧を高め、容易に収容室間の仕切部である弱シール部を剥離させることができる。
【００２８】
複数の収容室のうち、１つの収容室、特に、容器本体の端に設けられた収容室の一端、つまり、容器本体の一端、特に下端には、刺通針等を装着して薬液を排出する注排口が配設されている。なお、この注排口は、収容室に所定の薬液、薬剤等を充填するためにも利用することができる。注排口の大きさ、構造は、特に限定されるものではなく、当該分野における液体を収容するための医療用の容器に通常用いられているものの全てを適用することができる。また、注排口の位置は、容器本体の一端側であればよいが、その一端側における中央部であることが好ましい。これによって、医療用複室容器の懸垂状態において、注排口を鉛直方向に向けて、容器内の薬液等を患者等に、効率的に投与することが可能となる。
例えば、注排口の位置は、容器本体が四角形状又は略四角形状に形成されている場合には、その一辺、特に短辺の中央部分に形成されていることが好ましい。
【００２９】
容器本体１０は、２つの懸垂孔１５を備える。懸垂孔自体の大きさは、特に限定されず、例えば、用いるガートル台等の支持台に装備されるフック等の径よりも大きくても、小さくても、同じでもよい。医療現場での作業の容易性を考慮すると、フック等の径よりも大きいことが好ましいが、一方、複数の収容室の確実な連通を考慮すると、フック等の径よりも小さいことが適するかもしれない。
【００３０】
２つの懸垂孔１５は、上述したように、複数の収容室が未連通の状態では、第１の収容室１２に収容された薬液等の合計容積に起因して、第１の収容室１２の外層同士が接触するように互いに重ねることができない位置に離間して配置していることが必要である。
２つの懸垂孔１５の位置は、例えば、容器本体１０が四角形状又は略四角形状に形成されている場合には、図１に示すように、注排口１４が設けられた端部側とは異なる端部側、つまり上端であって、その左右の両側であることが適している。
２つの懸垂孔１５の位置は、例えば、上述したような大きさ、総薬液容量１０００ｍＬ程度、２０００ｍＬ程度や３０００ｍＬ程度の容積割合の複室容器の場合には横幅が２２〜３０ｃｍであることから、その幅に合わせて２つの懸垂孔の距離は１９〜２８ｃｍ程度が適している。また、言い換えると、懸垂孔は、容器本体の上端の両側に配置されることが好ましい。
【００３１】
横幅に対する２つの懸垂孔間幅の割合としては、７０〜９５％、さらに好ましくは８０〜９０％であり、８３〜８８％が好適である。
例えば、１０１０ｍＬ品のバッグ幅が約２２ｃｍである場合は、２つの懸垂孔間の幅は、双方の孔の中心間で１９ｃｍ程度、２０２０ｍＬ品のバッグ幅が約２６ｃｍである場合は、２つの懸垂孔間の幅は、孔の中心間で２２ｃｍ程度とすることが挙げられる。
【００３２】
このような位置に形成することにより、上述したように、２つの懸垂孔１５を重ねて支持台のフックに懸垂しようとしても、複数の収容室が連通していない状態では、第１の収容室１２に収容された薬液等１２ａによって、懸垂孔の重ねあわせができない。そのため、医療現場において、複数の収容室が未連通の状態で、薬剤排出用針を介して一つの収容室内の薬液のみが患者に投与されることを有効に防止することができる。
【００３３】
また、このような位置に形成することにより、図２に示したように、無理に２つの懸垂孔１５を重ねてフック１６に懸垂しようとすれば、自然に第１の収容室に圧力を負荷することができ、これによって、薬液１２ａが押し下げられて、弱シール部１３を剥離させることができる。
【００３４】
さらに、図２に示すように、２つの懸垂孔１５を無理に重ねあわせて、フック１６に懸垂することにより、注排口１４を鉛直方向に向けることができ、医療現場での適切かつ効率的な薬剤等の投与が可能となる。つまり、１つの懸垂孔でのみ支持台のフックに医療用複室容器を懸垂した場合には、その懸垂孔の対角線上の端部が鉛直方向に向くことなり、注排口１４が鉛直方向に向かないために、薬液の完全な投与ができなくなる。
【００３５】
なお、２つの懸垂孔１５は、容器本体１０の上端部かつその左右両側の適切な位置に形成されるが、例えば、１つの懸垂孔でのみ支持台のフックに医療用複室容器を懸垂した場合には、自重によって、懸垂孔が裂けて、容器内の薬剤等の全てを投与完了するまで懸垂し続けることができないような位置、つまり、容器本体１０の最上縁から比較的近い位置に形成してもよい。ただし、２つの懸垂孔を重ねて用いた場合には、容器内の薬剤等の全てを投与完了するまで懸垂し続けることができる位置に形成することが必要である。
【００３６】
このような医療用複室容器は、さらに、懸垂孔１５に装着される懸垂冶具を備えていてもよい。
例えば、図３（ａ）、（ｂ）に示したように、この懸垂冶具２０は、２枚のプレート２１、２２からなる冶具本体によって構成されている。この冶具本体は、一方のプレート２１には、例えば、上端部に、支持台のフックに懸垂するための孔２３が形成されるとともに、医療用複室容器の容器本体の２つの懸垂孔を貫通する突出部２４が形成されている。他方のプレート２２には、プレート２１の突出部２４を収容する孔又は凹部２５が形成されている。
【００３７】
また、懸垂冶具３０として、例えば、図４（ａ）、（ｂ）に示したように、２枚のプレート３１、３２からなる冶具本体によって構成されるものを利用してもよい。この冶具本体は、双方のプレート３１、３２双方の上端部に、支持台のフックに懸垂するための孔３３が形成されるとともに、一方のプレート３１には、医療用複室容器の容器本体の２つの懸垂孔を貫通する突出部３４が形成され、他方のプレート３２には、プレート３１の突出部３４を収容する孔又は凹部３５が形成されている。
【００３８】
このような構成によって、医療現場において、支持台のフックよりも医療用複室容器の懸垂孔が小さい場合にも、例えば、図５に示したように、容易かつ簡便に孔を大きくして、医療用複室容器１をフック１６に懸垂させることが可能となる。特に、医療用複室容器１の懸垂孔１５自体を、フック１６の径よりも小さくすることにより、フック１６に懸垂するためにこのような冶具３０を利用させ、その結果、２つの懸垂孔１５を重ねあわせて冶具３０にセットすることにより、第１の収容室１２に圧力を負荷し、弱シール部１３を剥離させることを容易に促すことが可能となる。
【００３９】
実施形態２
この実施形態２の医療用複室容器は、典型的には、図６に示すように、容器本体４０と、複数の収容室４１、４２と、これら収容室４１、４２内に収容された薬液等と４１ａ、４２ａと、弱シール部４３と、注排口４４と、容器本体４０を懸垂するための懸垂手段４５とを備えて構成される。
懸垂手段４５は、ひも状部材４５ｃによって構成されており、その両端４５ａが、容器本体４０の上端部の左右両側に固定されている。この際の固定は、接着剤又は熱シール等によって行うことができる。なお、ひも状部材４５ｃは、容器本体４０の一方の面側に形成されているのみでもよいし、両面に形成されていてもよい。
その他の構成は、実質的に実施形態１の医療用複室容器１と同様である。
【００４０】
このような構成によれば、図７に示すように、ひも状部材４５ｃの中央部分を注排口４４とは反対である上端側に摘んで引き上げることにより、その中央部分が懸垂孔４５ｂを与えることとなり、支持台のフックに容易に懸垂させることができる。
また、容器本体４０のバランスを考慮すると、中央部分が懸垂孔４５ｂとして安定して懸垂するために、医療用複室容器の懸垂状態において、注排口４４が鉛直方向に向く位置に配置され、容器内の薬剤の全てを確実に患者に投与することができる。
【００４１】
さらに、ひも状部材４５ｃの中央部分を引き上げるという簡便な操作によって、医療用複室容器の自重によって、第１の収容室４２の薬液４２ａ等が弱シール部４３に圧力を負荷することとなり、簡単に弱シール部４３を剥離させることができる。つまり、ひも状部材４５ｃの中央部分を引き上げることによって、容器本体の両側が中央部分に引き寄せられ、その圧力と自重とにより弱シール部４３を剥離させることができる。
【００４２】
なお、ひも状部材４５ｃの過度に自由な変形又は動きを抑制するために、ひも状部材４５ｃをガイドするとともに、その中央部分においてひも状部材４５ｃを引き上げるための窓を有する被覆部材４５ｄが備えられていてもよい。
さらに別の懸垂手段として、図８に示したように、一端に懸垂孔として孔を有するタグ４６を備えたひも状部材４５ｃを用いて、その他端４５ａのみを容器本体に固定したものを用いてもよい。この場合、一端の懸垂孔を有するタグ４６部分では、ひも状部材４５ｃの過度に自由な変形又は動きを抑制するために、一端をガイドする孔４７を設けてもよいし、ひも状部材の一端をガイドする被覆部材（図示せず）を設けてもよい。
【００４３】
懸垂冶具、懸垂手段、孔を有するタグ、被覆部材等の材質は、引張、懸垂において、切れたり、伸びすぎたりしなけいものであればよく、容器本体と同じ熱可塑性樹脂フィルム、紙材等、種々のものを利用することができる。また、熱可塑性樹脂フィルムの容器本体に接着容易なものが好ましく、例えば、ポリエチレン、ポリプロピレン、ポリエチレンテレフタレート、ポリエチレンナフタレート、ポリビニルアルコール、エチレンビニルアルコール、ポリ塩化ビリニデン、ナイロンなどのポリアミド等々の単層あるいは複層に積層された材質が好適に適用可能である。
【００４４】
以上の構成例は、種々変形可能であると共に、各構成要件を別の構成要件に組み合わせた構成として適用可能である。
【図面の簡単な説明】
【００４５】
【図１】本発明の医療用複室容器の斜視図である。
【図２】図１の医療用複室容器の２つの懸垂孔を重ね合わせた際の医療用複室容器の正面図である。
【図３】本発明の医療用複室容器における懸垂冶具の（ａ）正面図及び（ｂ）側面図である。
【図４】本発明の医療用複室容器における別の懸垂冶具の（ａ）正面図及び（ｂ）側面図である。
【図５】図４の懸垂冶具を用いて医療用複室容器の２つの懸垂孔を重ね合わせた際の医療用複室容器の正面図である。
【図６】本発明の別の医療用複室容器の正面図である。
【図７】図６の医療用複室容器を懸垂する際の医療用複室容器の正面図である。
【図８】本発明のさらに別の医療用複室容器の正面図である。
【符号の説明】
【００４６】
１、２  医療用複室容器
１０、４０  容器本体
１１、４１  収容室
１２、４２  第１の収容室
１１ａ、１２ａ、４１ａ、４２ａ  薬液、薬剤及び／又は気体
１３、４３  弱シール部
１４、４４  注排口
１５  懸垂孔
２０、３０  懸垂冶具
２１、２２、３１、３２  プレート
２３、３３  懸垂孔
２４、３４  突出部
２５、３５  孔又は凹部
４５  懸垂手段
４５ａ  端
４５ｂ  懸垂孔
４５ｃ  ひも状部材
４５ｄ  被覆部材
４６  タグ
４７  孔
【図１】
2009195470.tif 000003
【図２】
2009195470.tif 000004
【図３】
2009195470.tif 000005
【図４】
2009195470.tif 000006
【図５】
2009195470.tif 000007
【図６】
2009195470.tif 000008
【図７】
2009195470.tif 000009
【図８】
2009195470.tif 000010